(57)【要約】ルーティング選択の方法、機器、デバイスおよびシステム、ならびにストレージ媒体が提供される。方法は、サービングコアネットワークデバイスによって送られるルート再割り当てメッセージを受信することを含む。ルート再割り当てメッセージは、初期コアネットワークデバイスの識別情報もしくはアドレス情報のうちの少なくとも１つか、サービングコアネットワークデバイスの識別情報もしくはアドレス情報のうちの少なくとも１つか、初期コアネットワークデバイス、アクセスコアネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
2021514575.tif 000002
【特許請求の範囲】
【請求項１】
アクセスネットワークデバイスに適用されるルーティング選択方法であって、前記方法は、
サービングコアネットワークデバイスによって送られるルート再割り当てメッセージを受信することを備え、前記ルート再割り当てメッセージは、
初期コアネットワークデバイスの識別情報もしくはアドレス情報のうちの少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つを備える、ルーティング選択方法。
【請求項２】
前記ルート再割り当てメッセージに従ってターミナルの通信コンテキストのルーティング情報を更新すること
をさらに備える、請求項１に記載の方法。
【請求項３】
再割り当て応答メッセージを前記サービングコアネットワークデバイスに送ることをさらに備え、前記再割り当て応答メッセージは、
前記初期コアネットワークデバイスの前記識別情報もしくは前記アドレス情報のうちの前記少なくとも１つか、
前記サービングコアネットワークデバイスの前記識別情報もしくは前記アドレス情報のうちの前記少なくとも１つか、
前記初期コアネットワークデバイス、前記アクセスネットワークデバイスもしくは前記サービングコアネットワークデバイスのうちの前記少なくとも１つにある、前記サービス対象のために割り当てられる前記コンテキスト識別子か、
前記サービス対象によってサポートされる前記ネットワークスライス情報か、
前記サービス対象によってサポートされる前記操作者情報か、
ルーティング情報修正成功インジケーションもしくはルーティング情報修正失敗インジケーションか、または、
ルーティング失敗理由
のうちの少なくとも１つを備える、請求項１に記載の方法。
【請求項４】
前記初期コアネットワークデバイスの前記識別情報は、前記初期コアネットワークデバイスのアクセスおよびモビリティ管理機能（ＡＭＦ）識別子か、または前記初期コアネットワークデバイスのＡＭＦプール情報のうちの少なくとも１つを備え、
前記サービングコアネットワークデバイスの前記識別情報は、前記サービングコアネットワークデバイスのＡＭＦ識別子か、または前記サービングコアネットワークデバイスのＡＭＦプール情報のうちの少なくとも１つを備える、請求項１または請求項３に記載の方法。
【請求項５】
前記初期コアネットワークデバイスの前記アドレス情報は、前記初期コアネットワークデバイスのインターネットプロトコル（ＩＰ）アドレスか、または前記初期コアネットワークデバイスのストリーム制御伝送プロトコル（ＳＣＴＰ）結合情報を備え、
前記サービングコアネットワークデバイスの前記アドレス情報は、前記サービングコアネットワークデバイスのＳＣＴＰ結合情報か、または前記サービングコアネットワークデバイスのＩＰアドレスを備える、
請求項１または請求項３に記載の方法。
【請求項６】
前記割り当てられたコンテキスト識別子は、基地局によって割り当てられる指数と、コアネットワークによって割り当てられる指数とを備える、請求項１または請求項３に記載の方法。
【請求項７】
前記ネットワークスライス情報は、
予め構成されたネットワークスライス情報か、または、
前記初期コアネットワークデバイスもしくは前記サービングコアネットワークデバイスが、ターミナルによって要求されるネットワークスライス情報を確認した後で決定される承認スライス情報
のうちの１つを通して獲得される情報を備える、請求項１または請求項３に記載の方法。
【請求項８】
ルーティング選択機器であって、前記機器は、
サービングコアネットワークデバイスによって送られるルート再割り当てメッセージを受信するように構成される受信モジュール
を備え、前記ルート再割り当てメッセージは、
初期コアネットワークデバイスの識別情報もしくはアドレス情報のうちの少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つ備える、機器。
【請求項９】
前記ルート再割り当てメッセージに従ってターミナルの通信コンテキストのルーティング情報を更新するように構成される更新モジュール
をさらに備える、請求項８に記載の機器。
【請求項１０】
再割り当て応答メッセージを前記サービングコアネットワークデバイスに送るように構成されるフィードバックモジュールをさらに備え、前記再割り当て応答メッセージは、
前記初期コアネットワークデバイスの前記識別情報もしくは前記アドレス情報のうちの前記少なくとも１つか、
前記サービングコアネットワークデバイスの前記識別情報もしくは前記アドレス情報のうちの前記少なくとも１つか、
前記初期コアネットワークデバイス、前記アクセスネットワークデバイスもしくは前記サービングコアネットワークデバイスのうちの前記少なくとも１つにある、前記サービス対象のために割り当てられる前記コンテキスト識別子か、
前記サービス対象によってサポートされる前記ネットワークスライス情報か、
前記サービス対象によってサポートされる前記操作者情報か、
ルーティング情報修正成功インジケーションもしくはルーティング情報修正失敗インジケーションか、または、
ルーティング失敗理由
のうちの少なくとも１つを備える、請求項８に記載の機器。
【請求項１１】
請求項８〜１０のうちのいずれか一項に記載のルーティング選択機器を備える、ルーティングデバイス。
【請求項１２】
サービングコアネットワークデバイスおよびアクセスネットワークデバイスを備えるルーティングシステムであって、
前記サービングコアネットワークデバイスは、ルート再割り当てメッセージを前記アクセスネットワークデバイスに送るように構成され、前記ルート再割り当てメッセージは、
初期コアネットワークデバイスの識別情報もしくはアドレス情報のうちの少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つを備え、前記アクセスネットワークデバイスは、前記ルート再割り当てメッセージに従ってターミナルの通信コンテキストのルーティング情報を更新するように構成される、システム。
【請求項１３】
前記アクセスネットワークデバイスは、再割り当て応答メッセージを前記サービングコアネットワークデバイスに送るように構成され、前記再割り当て応答メッセージは、
前記初期コアネットワークデバイスの前記識別情報もしくは前記アドレス情報のうちの前記少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークのうちの前記少なくとも１つにある、前記サービス対象のために割り当てられる前記コンテキスト識別子か、
前記サービス対象によってサポートされる前記ネットワークスライス情報か、
前記サービス対象によってサポートされる前記操作者情報か、
ルーティング情報修正インジケーションもしくはルーティング情報修正失敗インジケーションか、または、
ルーティング失敗理由
のうちの少なくとも１つを備える、請求項１２に記載のシステム。
【請求項１４】
ルーティングプログラムを記憶するように構成されるストレージ媒体であって、前記プログラムが実行されるときに、以下の動作、
サービングコアネットワークデバイスによって送られるルート再割り当てメッセージを受信すること
が遂行され、前記ルート再割り当てメッセージは、
初期コアネットワークデバイスの識別情報もしくはアドレス情報のうちの少なくとも１つか、
前記サービングコアネットワークデバイスの識別情報若しくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つを備える、ストレージ媒体。
【発明の詳細な説明】
【技術分野】
【０００１】
本願は、２０１８年２月１２日に中華人民共和国特許庁に出願された中国特許出願第２０１８１０１４７３０５．３号の優先権を主張し、その開示は、参照によってその全体が本明細書中に援用される。
【０００２】
（技術分野）
本願は、通信分野に、例えば、ルーティング選択の方法、機器、デバイスおよびシステム、ならびにストレージ媒体に関する。
【背景技術】
【０００３】
（背景）
将来のモバイルネットワークは、人々の間の通信を提供するだけでなく、モノのインターネット（ＩｏＴ）の大量のデバイスのためのサービス、例えば、仮想現実および高精細ビデオ等の超高レートサービス要件を有するサービス（そのようなレートのサービスは、現在のレートの１０から１００倍に達する必要がある）、および、車両のインターネット等の低遅延サービス要件を有するサービス（端末同士の遅延は、５倍まで短縮される必要がある）も提供する。別の例として、モノのインターネットは、現在の１０００倍の数のサービスに接続される必要があり、バッテリ寿命は、現在のバッテリ寿命の１０倍に延長される必要がある。
【０００４】
図１は、第３世代パートナーシッププロジェクト（３ＧＰＰ）  ＴＳ  ３８．３００に従った第５世代モバイル通信（５世代、５Ｇ）テクノロジの通信アーキテクチャを示す概略図である。図１に示されるように、５Ｇ通信アーキテクチャは、５Ｇコアネットワーク（５ＧＣ）および５Ｇアクセスネットワークを含む。５Ｇコアネットワークのネットワーク要素は、図１において、アクセスおよびモビリティ管理機能（ＡＭＦ）ならびにユーザプレーン機能（ＵＰＦ）を含む。５Ｇアクセスネットワークのネットワーク要素は、４Ｇ基地局（例えば、ｎｇ−ｅＮＢ）か、または５Ｇ基地局（例えば、ｇＮＢ）を含む。コアネットワークのネットワーク要素とアクセスネットワークのネットワーク要素との間のインタフェースは、ＮＧインタフェースである。アクセスネットワークのネットワーク要素の間のインタフェースは、Ｘｎインタフェースである。
【０００５】
図２は、抽象的な５Ｇネットワーク要素構造である。図１に示される５Ｇ通信アーキテクチャを含む各々のモバイル通信システムは、１つのネットワーク要素が同時に２つのネットワーク要素に接続される展開シナリオを有する。例えば、第２のネットワーク要素は、第１のネットワーク要素および第３のネットワーク要素に同時に接続される。第１のネットワーク要素および第３のネットワーク要素は、例えば、５ＧコアネットワークのＡＭＦデバイスであり得、第２のネットワーク要素は、例えば、ｇＮＢデバイス等のアクセスデバイスであり得る。
【０００６】
図２では、第２のネットワーク要素は、第１のネットワーク要素と共に、サービス対象へ通信サービスを提供するか、または、第２のネットワーク要素は、第３のネットワーク要素をと共に、サービス対象へ通信サービスを提供する。通信サービスは、サービス対象による要求に応じて送られるデータパケットが、第２のネットワーク要素を通して第１のネットワーク要素に転送されて、それからデータパケットを受信する必要があるデバイスに送られるか、または、第２のネットワーク要素を通して第３のネットワーク要素に転送されて、それからデータパケットを受信する必要のあるデバイスに送られることを意味する。
【０００７】
図３は、データパケットを転送するフローチャートである。図３に示されるように、ステップＳ１からＳ６において、サービス対象は、データパケットを第２のネットワーク要素に送る。第２のネットワーク要素は、通信ルーティングコンテキストを確立し、サービス対象のデータパケットを第３のネットワーク要素に送る。第３のネットワーク要素が、パケットを処理するために最も適切なわけではない場合、第３のネットワーク要素は、パケットを第１のネットワーク要素に送り得、それから第１のネットワーク要素は、パケットを標的となるデバイスに送る。ステップＳ７およびＳ８においては、サービス対象がデータパケットを第２のネットワーク要素に再送するときに、第２のネットワーク要素は、パケットを第３のネットワーク要素に送るために前のステップを繰り返し、第３のネットワーク要素は、決定をなし、それから決定結果に従ってパケットを第１のネットワーク要素に送り、それから第１のネットワーク要素は、パケットを標的となるデバイスに送る。つまり、サービス対象がデータパケットを第２のネットワーク要素に送るたびに、前のステップ２から６が繰り返される。結果として、通信サービスは不十分である。
【発明の概要】
【課題を解決するための手段】
【０００８】
（概要）
以下は、本明細書中で詳細に説明される主題の概略である。この概要は、請求項の範囲を限定することを意図されたものではない。
【０００９】
本願の実施形態は、５Ｇ通信アーキテクチャにおける不十分な通信サービスを避けるための、ルーティング選択の方法、機器、デバイスおよびシステム、ならびにストレージ媒体を提供する。
【００１０】
第１の側面において、本願は、アクセスネットワークデバイスに適用されるルーティング選択方法を提供する。方法は、サービングコアネットワークデバイスによって送られるルート再割り当てメッセージを受信することを含む。ルート再割り当てメッセージは、初期コアネットワークデバイスの識別情報もしくはアドレス情報のうちの少なくとも１つか、サービングコアネットワークデバイスの識別情報もしくはアドレス情報のうちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００１１】
第２の側面において、本願は、ルーティング選択機器をさらに提供する。機器は、サービングコアネットワークデバイスによって送られるルート再割り当てメッセージを受信するように構成される受信モジュールを含む。ルート再割り当てメッセージは、初期コアネットワークデバイスの識別情報もしくはアドレス情報のうちの少なくとも１つか、サービングコアネットワークの識別情報もしくはアドレス情報のうちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００１２】
第３の側面において、本願は、ルーティング選択機器を含むルーティングデバイスをさらに提供する。
【００１３】
第４の側面では、本願は、ルーティングシステムをさらに提供する。システムは、サービングコアネットワークデバイスおよびアクセスネットワークデバイスを含む。サービングコアネットワークデバイスは、ルート再割り当てメッセージをアクセスネットワークデバイスに送るように構成される。ルート再割り当てメッセージは、初期コアネットワークデバイスの識別情報もしくはアドレス情報のうちの少なくとも１つか、サービングコアネットワークデバイスの識別情報もしくはアドレス情報のうちの少なくとも１つか、サービングコアネットワークデバイスの識別情報もしくはアドレス情報のうちの少なくとも１つか、サービス対象によってサポートされるネットワークスライス情報か、または、サービス対象によってサポートされる操作者情報、のうちの少なくとも１つを含む。アクセスネットワークデバイスは、ルート再割り当てメッセージに従ってターミナルの通信コンテキストのルーティング情報を更新するように構成される。
【００１４】
第５の側面では、本願は、ルーティングプログラムを記憶するように構成されるストレージ媒体をさらに提供する。プログラムが実行されると、以下の動作、サービングコアネットワークデバイスによって送られるルート再割り当てメッセージを受信することが遂行される。ルート再割り当てメッセージは、初期コアネットワークデバイスの識別情報もしくはアドレス情報のうちの少なくとも１つか、サービングコアネットワークの識別情報もしくはアドレス情報のうちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００１５】
添付の図面および詳細な説明が読まれ、理解された後に、他の側面が理解されるであろう。
【図面の簡単な説明】
【００１６】
【図１】図１は、３ＧＰＰ  ＴＳ  ３８．３００に従った５Ｇ通信アーキテクチャを示す概略図である。
【００１７】
【図２】図２は、抽象的な５Ｇネットワーク要素構造の概略図である。
【００１８】
【図３】図３は、データパケットを転送するフローチャートである。
【００１９】
【図４】図４は、本願の実施形態に従ったルーティング選択方法のフローチャートである。
【００２０】
【図５】図５は、本願の実施形態に従ったルーティング選択機器の構造図である。
【００２１】
【図６】図６は、本願の実施形態に従ったルーティングシステムの構造図である。
【００２２】
【図７】図７は、本願の実施形態１に従ったルーティング選択方法のフローチャートである。
【００２３】
【図８】図８は、本願の実施形態２に従ったルーティング選択方法のフローチャートである。
【００２４】
【図９】図９は、本願の実施形態３に従ったルーティング選択方法のフローチャートである。
【００２５】
【図１０】図１０は、本願の実施形態４に従ったルーティング選択方法のフローチャートである。
【発明を実施するための形態】
【００２６】
（詳細な説明）
本願の実施形態は、図面と共に説明され、図面から本願の解決策がより明らかになるであろう。
【００２７】
図４に示されるように、本願の実施形態は、アクセスネットワークデバイスに適用されるルーティング選択方法を提供する。方法は、サービングコアネットワークデバイスによって送られるルート再割り当てメッセージを受信することを含む。
【００２８】
本願のこの実施形態では、サービングコアネットワークデバイスによって送られるルート再割り当てメッセージを受信した後で、アクセスネットワークデバイスが、ルート再割り当てメッセージに従ってターミナルの通信コンテキストのルーティング情報を更新し得る。
【００２９】
本願のこの実施形態では、サービングコアネットワークデバイスが初期コアネットワークデバイスによって転送される通信パケットを受信した後に、サービングコアネットワークデバイスは、ルート再割り当てメッセージをアクセスネットワークデバイスに送り、アクセスネットワークデバイスは、ルーティング機能を用いることによって、ルート再割り当てメッセージに従ってターミナルの通信コンテキストのルーティング情報を更新し得る。従って、サービス対象によって送られる次の通信パケットを受信するときに、アクセスネットワークデバイスは、更新されたルーティング情報に従って次の通信パケットをサービングコアネットワークデバイスに送り得、それにより、ルート構成更新によって通信サービス効率を向上させる。
【００３０】
サービングコアネットワークデバイスおよび初期コアネットワークデバイスは、モビリティ管理エンティティ（ＭＭＥ）等の４Ｇコアネットワークのネットワーク要素か、またはＡＭＦ等の５Ｇコアネットワークのネットワーク要素であり得る。
【００３１】
アクセスネットワークデバイスは、４Ｇ基地局（ｎｇ−ｅＮＢ）か、５Ｇ基地局（ｅＮＢ）か、またはｇＮＢ−ＣＵのような基地局等のアクセスネットワークのネットワーク要素であり得る。
【００３２】
本願のこの実施形態では、サービングコアネットワークデバイスによってアクセスネットワークデバイスに送られるルート再割り当てメッセージは、５ＧのＮＧインタフェースメッセージか、または４ＧのＳ１インタフェースメッセージ等の規格によって定義されるインタフェースメッセージであり得る。ルート再割り当てメッセージは、新たなメッセージであり得るか、または、ダウンリンクネットワークアタッチトストレージ伝送（ダウンリンクＮＡＳ伝送）メッセージもしくは初期ＵＥコンテキストメッセージ等の、関連するメッセージを再利用し得る。
【００３３】
本願のこの実施形態では、ルート再割り当てメッセージは、初期コアネットワークデバイスの識別情報もしくはアドレス情報のうちの少なくとも１つか、サービングコアネットワークデバイスの識別情報もしくはアドレス情報うちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００３４】
本願のこの実施形態では、方法は、アクセスネットワークデバイスが再割り当て応答メッセージをサービングコアネットワークデバイスに送ることをさらに含む。
【００３５】
本願のこの実施形態では、アクセスネットワークデバイスがルーティング機能を用いることによってターミナルの通信コンテキストのルーティング情報を更新した後で、サービングコアネットワークデバイスが、再割り当て応答メッセージを初期コアネットワークデバイスに送る。再割り当て応答メッセージは、アクセスネットワークデバイスがルーティングをうまく更新したことをサービングコアネットワークデバイスに通知するために用いられ、それにより、サービングコアネットワークデバイスは、ターミナルの認証プロセスを実施し続け得る。サービングコアネットワークデバイスは、ルーティング更新が失敗することを通知される場合、サービングコアネットワークデバイスが次の認証プロセスを実施することは必要とされない。
【００３６】
本願のこの実施形態では、再割り当て応答メッセージは、初期コアネットワークデバイスの識別情報もしくはアドレス情報のうちの少なくとも１つか、サービングコアネットワークデバイスの識別情報もしくはアドレス情報のうちの少なくとも１つか、サービス対象のために割り当てられ、かつ初期ネットワークデバイス、アクセスネットワークデバイスもしくはサービングコアネットワークデバイスのうちの少なくとも１つにあるコンテキスト識別子か、サービス対象によってサポートされるネットワークスライス情報か、サービス対象によってサポートされる操作者情報か、ルーティング情報修正インジケーションもしくはルーティング情報修正失敗インジケーションか、または、ルーティング失敗理由、のうちの少なくとも１つを含む。
【００３７】
初期コアネットワークデバイスの識別情報は、初期コアネットワークデバイスのアクセスおよびモビリティ管理機能（ＡＭＦ）識別子か、または初期コアネットワークデバイスのＡＭＦプール情報、のうちの少なくとも１つを含む。
【００３８】
サービングコアネットワークデバイスの識別情報は、サービングコアネットワークデバイスのＡＭＦ識別子か、またはサービングコアネットワークデバイスのＡＭＦプール情報のうちの少なくとも１つを含む。
【００３９】
初期コアネットワークデバイスのアドレス情報は、初期コアネットワークデバイスのインターネットプロトコル（ＩＰ）アドレスか、または初期コアネットワークデバイスのストリーム制御伝送プロトコル（ＳＣＴＰ）結合情報を含む。
【００４０】
サービングコアネットワークデバイスのアドレス情報は、サービングコアネットワークデバイスのＳＣＴＰ結合情報か、またはサービングコアネットワークデバイスのＩＰアドレスを含む。
【００４１】
通信コンテキストのための割り当てられたコンテキスト識別は、基地局によって割り当てられた指数ＲＡＮ  ＵＥ  ＮＧＡＰ  ＩＤ、およびコアネットワークによって割り当てられた指数ＡＭＦ  ＵＥ  ＮＧＡＰ  ＩＤを含む。
【００４２】
ネットワークスライス情報は、予め構成されたネットワークスライス情報か、または、初期コアネットワークデバイスもしくはサービングコアネットワークデバイスがターミナルによって要求されるネットワークスライス情報を確認した後に決定される承認スライス情報、のうちの１つを含む。
【００４３】
本願のこの実施形態では、ネットワークスライス情報は、Ｓ−ＮＳＳＡＩリストか、または承認ネットワークスライス選択補助情報（承認ＮＳＳＡＩ）であり得る。ネットワークスライス情報は、ターミナル関連ネットワークスライス情報である。ネットワークスライス情報は、ターミナルのための構成されたＮＳＳＡＩであり得る。ネットワークスライス情報は、初期コアネットワークデバイスがターミナルによって要求されるネットワークスライス情報を確認した後の承認ＮＳＳＡＩか、または、サービングコアネットワークデバイスがターミナルによって要求されるネットワークスライス情報を確認した後の承認ＮＳＳＡＩであり得る。
【００４４】
操作者情報は、例えば、公衆モバイルネットワーク（ＰＬＭＮ）を指す。異なる操作者は、異なるルーティング情報を構成し得る。ルート再割り当て情報の構成が操作者情報を含み、かつ異なる操作者が異なる構成を有する（例えば、操作者１のネットワークスライス情報と操作者２のネットワークスライス情報とが異なる）場合、アクセスネットワークデバイスは、ルーティング更新を遂行するときに、各々の操作者のルーティング構成を別個に更新する。
【００４５】
本願のこの実施形態では、アクセスネットワークデバイスが、サービングコアネットワークデバイスによって送られるルート再割り当てメッセージを受信する。サービス対象によって送られる通信パケットを受信するときに、アクセスネットワークデバイスは、ルート再割り当てメッセージに従ったルーティングを遂行し、通信パケットをサービングコアネットワークデバイスに送る。
【００４６】
図５に示されるように、本願の実施形態は、受信モジュールを含むルーティング選択機器をさらに提供する。
【００４７】
受信モジュールは、サービングコアネットワークデバイスによって送られるルート再割り当てメッセージを受信するように構成される。ルート再割り当てメッセージは、初期コアネットワークデバイスの識別情報もしくはアドレス情報のうちの少なくとも１つか、サービングコアネットワークデバイスの識別情報もしくはアドレス情報のうちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００４８】
本願のこの実施形態では、機器は、更新モジュールをさらに含む。
【００４９】
更新モジュールは、ルート再割り当てメッセージに従ってターミナルの通信コンテキストのルーティング情報を更新するように構成される。
【００５０】
本願のこの実施形態では、機器は、フィードバックモジュールをさらに含む。
【００５１】
フィードバックモジュールは、再割り当て応答メッセージをサービングコアネットワークデバイスに送るように構成される。再割り当て応答メッセージは、初期コアネットワークデバイスの識別情報もしくはアドレス情報のうちの少なくとも１つか、サービングコアネットワークデバイスの識別情報もしくはアドレス情報のうちの少なくとも１つか、サービス対象のために割り当てられ、かつ初期コアネットワークデバイス、アクセスネットワークデバイスもしくはサービングコアネットワークデバイスのうちの少なくとも１つにあるコンテキスト識別子か、サービス対象によってサポートされるネットワークスライス情報か、サービス対象によってサポートされる操作者情報か、ルーティング情報修正インジケーションもしくはルーティング情報修正失敗インジケーションか、または、ルーティング失敗理由、のうちの少なくとも１つを含む。
【００５２】
本願の実施形態は、ルーティング選択機器を含むルーティングデバイスをさらに提供する。
【００５３】
図６に示されるように、本願の実施形態は、サービングコアネットワークデバイスおよびアクセスネットワークデバイスを含むルーティングシステムをさらに提供する。
【００５４】
サービングコアネットワークデバイスは、ルート再割り当てメッセージをアクセスネットワークデバイスに送る。ルート再割り当てメッセージは、初期コアネットワークデバイスの識別情報もしくはアドレス情報のうちの少なくとも１つか、サービングコアネットワークデバイスの識別情報もしくはアドレス情報のうちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００５５】
アクセスネットワークデバイスは、ルート再割り当てメッセージに従ってターミナルの通信コンテキストのルーティング情報を更新する。
【００５６】
本願のこの実施形態では、アクセスネットワークデバイスは、再割り当て応答メッセージをサービングコアネットワークデバイスに送る。再割り当て応答メッセージは、初期コアネットワークデバイスの識別情報もしくはアドレス情報のうちの少なくとも１つか、サービングコアネットワークデバイスの識別情報もしくはアドレス情報のうちの少なくとも１つか、サービス対象のために割り当てられ、かつ初期コアネットワークデバイス、アクセスネットワークデバイスもしくはサービングコアネットワークデバイスのうちの少なくとも１つにあるコンテキスト識別子か、サービス対象によってサポートされるネットワークスライス情報か、サービス対象によってサポートされる操作者情報か、ルーティング情報修正インジケーションもしくはルーティング情報修正失敗インジケーションか、または、ルーティング失敗理由、のうちの少なくとも１つを含む。
【００５７】
本願の実施形態は、ルーティングプログラムを記憶するように構成されるストレージ媒体をさらに提供する。プログラムが実行されるときに、以下の動作、つまり、サービングコアネットワークデバイスによって送られるルート再割り当てメッセージを受信することが遂行される。ルート再割り当てメッセージは、初期コアネットワークデバイスの識別情報もしくはアドレス情報のうちの少なくとも１つか、サービングコアネットワークデバイスの識別情報もしくはアドレス情報のうちの少なくとも１つか、初期コアネットワークデバイス、アクセスネットワークデバイスもしくはサービングコアネットワークデバイスのうちの少なくとも１つにある、サービス対象のために割り当てられるコンテキスト識別子か、サービス対象によってサポートされるネットワークスライス情報か、または、サービス対象によってサポートされる操作者情報、のうちの少なくとも１つを含む。
【００５８】
（例１）
図７を参照すると、ルーティング選択方法は、ステップＳ１１からＳ１９およびＳ１１０を含む。
【００５９】
ステップＳ１１において、ユーザ装置（ＵＥ）は、登録要求メッセージを基地局に送る。
【００６０】
ステップＳ１２において、基地局は、通信コンテキストを確立する。
【００６１】
ステップＳ１３において、基地局は、通信コンテキストメッセージを初期コアネットワークデバイスに送る。
【００６２】
ステップＳ１４において、初期コアネットワークデバイスは、サービングアクセスデバイスを捜す。
【００６３】
ステップＳ１５において、初期コアネットワークデバイスは、通信コンテキストメッセージをサービングコアネットワークデバイスに送る。
【００６４】
ステップＳ１６において、サービングコアネットワークデバイスは、サービスパケットを標的となるネットワーク要素に送る。
【００６５】
ステップＳ１７において、サービングコアネットワークデバイスは、ルート再割り当てメッセージを基地局に送る。
【００６６】
サービングコアネットワークデバイスによって基地局に送られるメッセージは、５ＧのＮＧインタフェースメッセージか、または４ＧのＳ１インタフェースメッセージ等の規格によって定義されるインタフェースメッセージである。ルート再割り当てメッセージは、再割り当てメッセージ等の新たなメッセージであり得る。代替として、ルート再割り当てメッセージは、ダウンリンクＲＡＮ構成伝送メッセージ等の関連メッセージを再利用し得る。
【００６７】
ルート再割り当てメッセージは、ルート再割り当て情報を含む。ルート再割り当て情報は、初期コアネットワークデバイスの識別子（ＡＭＦ名）もしくは初期コアネットワークデバイスのＡＭＦプール情報か、サービングコアネットワークデバイスの識別子（ＡＭＦ名）もしくはサービングコアネットワークデバイスＡＭＦプール情報か、初期コアネットワークデバイスのアドレス情報（例えば、基地局への接続のためのＳＣＴＰ結合アドレスもしくはＩＰアドレス）か、サービングコアネットワークデバイスのアドレス情報（例えば、基地局への接続のためのＳＣＴＰ結合アドレスもしくはＩＰアドレス）か、初期コアネットワークデバイスにおけるＵＥのコンテキスト識別子（例えば、初期ＡＭＦ  ＵＥ  ＮＧＡＰ  ＩＤ）か、サービングコアネットワークデバイスにおけるＵＥのコンテキスト識別子（例えば、サービングＡＭＦ  ＵＥ  ＮＧＡＰ  ＩＤ）か、基地局によってＵＥに割り当てられるコンテキスト識別子（例えば、ＲＡＮ  ＵＥ  ＮＧＡＰ  ＩＤ）か、ネットワークスライス情報（例えば、Ｓ−ＮＳＳＡＩリストおよび／もしくは承認ＮＳＳＡＩ）か、または、操作者情報（例えば、ＰＬＭＮ情報）、のうちの１つまたはそれらの組み合わせである。
【００６８】
ステップＳ１８において、基地局は、ターミナルの通信コンテキストのルーティング情報を更新する。
【００６９】
基地局は、サービングコアネットワークデバイスによって送られるルート再割り当て情報を受信し、以下で説明されるケース１から５での動作を遂行する。
【００７０】
ケース１：基地局は、以下で説明されるアイテムのうちの１つを受信する。
【００７１】
１．基地局によってＵＥに割り当てられるコンテキスト識別子（例えば、ＲＡＮ  ＵＥ  ＮＧＡＰ  ＩＤ）。２．初期コアネットワークデバイスの識別子（ＡＭＦ名）か、または初期コアネットワークデバイスのＡＭＦプール情報。３．サービングコアネットワークデバイスの識別子（ＡＭＦ名）か、またはサービングコアネットワークデバイスのＡＭＦプール情報。
【００７２】
基地局はまず、ＲＡＮ  ＵＥ  ＮＧＡＰ  ＩＤを通して基地局でＵＥの通信コンテキストを引き出し、基地局は、ＵＥの通信コンテキスト内のコアネットワークデバイスの識別子を、サービングコアネットワークデバイスの識別子（ＡＭＦの名）か、またはサービングコアネットワークデバイスのＡＭＦプール情報に更新する。
【００７３】
ある実施形態では、基地局はまず、初期コアネットワークデバイスの識別子（ＡＭＦ名）または初期コアネットワークデバイスのＡＭＦプール情報が、ＵＥの通信コンテキスト内に以前に記憶された情報と一致するかどうかを確認し、初期コアネットワークデバイスの識別子（ＡＭＦ名）または初期コアネットワークデバイスのＡＭＦプール情報が、ＵＥの通信コンテキスト内に以前に記憶された情報と一致しない場合には、この修正を破棄し得る。
【００７４】
ケー２：基地局は、以下で説明されるアイテムの１つを受信する。
【００７５】
１．基地局によってＵＥに割り当てられるコンテキスト識別子（例えば、ＲＡＮ  ＵＥ  ＮＧＡＰ  ＩＤ）。２．初期コアネットワークデバイスのアドレス情報（例えば、基地局への接続のためのＳＣＴＰ結合アドレスまたはＩＰアドレス。３．サービングコアネットワークデバイスのアドレス情報（例えば、基地局への接続のためのＳＣＴＰ結合アドレスまたはＩＰアドレス）。
【００７６】
基地局はまず、ＲＡＮ  ＵＥ  ＮＧＡＰ  ＩＤを通して基地局においてＵＥの通信コンテキストを引き出し、基地局は、ＵＥの通信コンテキストにおけるコアネットワークデバイスのアドレス情報を、サービングコアネットワークデバイスのアドレス情報（例えば、基地局への接続のためのＳＣＴＰ結合アドレスまたはＩＰアドレス）に更新する。
【００７７】
ある実施形態では、基地局は、まず、初期コアネットワークのアドレス情報が、ＵＥの通信コンテキスト内に以前に記憶された情報と一致するかどうかを確認し、初期コアネットワークのアドレス情報が、ＵＥの通信コンテキスト内に以前に記憶された情報と一致しない場合には、この修正を破棄し得る。
【００７８】
ケース３：基地局は、以下で説明されるアイテムのうちの１つを受信する。
【００７９】
１．基地局によってＵＥに割り当てられるコンテキスト識別子（例えば、ＲＡＮ  ＵＥ  ＮＧＡＰ  ＩＤ）。２．初期コアネットワークにおけるＵＥのコンテキスト識別子（例えば、初期ＡＭＦ  ＵＥ  ＮＧＡＰ  ＩＤ）。３．サービングコアネットワークデバイスにおけるＵＥのコンテキスト識別子（例えば、サービングＡＭＦ  ＵＥ  ＮＧＡＰ  ＩＤ）。
【００８０】
基地局はまず、ＲＡＮ  ＵＥ  ＮＧＡＰ  ＩＤを通して基地局におけるＵＥの通信コンテキストを引き出し、基地局は、ＵＥの通信コンテキストにおけるコアネットワークデバイスでのＵＥの識別子を、サービングコアネットワークデバイスにおけるＵＥのコンテキスト識別子（例えば、サービングＡＭＦ  ＵＥ  ＮＧＡＰ  ＩＤ）に修正する。
【００８１】
ある実施形態では、基地局はまず、初期コアネットワークデバイスにおけるＵＥのコンテキスト識別子が、ＵＥの通信コンテキスト内に以前に記憶された情報と一致するかどうかを確認し、初期コアネットワークデバイスにおけるＵＥのコンテキスト識別子が、ＵＥの通信コンテキスト内に以前に記憶された情報と一致しない場合には、この修正を破棄し得る。
【００８２】
ケース４：基地局は、以下で説明されるアイテムのうちの１つを受信する。
【００８３】
１．基地局によってＵＥに割り当てられるコンテキスト識別子（例えば、ＲＡＮ  ＵＥ  ＮＧＡＰ  ＩＤ）、２．ネットワークスライス情報（例えば、Ｓ−ＮＳＳＡＩリストおよび／または承認ＮＳＳＡＩ）。
【００８４】
基地局はまず、ＲＡＮ  ＵＥ  ＮＧＡＰ  ＩＤを通して基地局におけるＵＥの通信コンテキストを引き出し、それから、ネットワークスライス情報に従ってＵＥのための別のコアネットワークを選択する。このコアネットワーク内のネットワーク要素は、必ずしも図４に示されるサービングコアネットワークまたは初期コアネットワーク内のネットワーク要素ではない。
【００８５】
ケース５：基地局は、以下で説明されるアイテムのうちの１つを受信する。
【００８６】
１．基地局によってＵＥに割り当てられるコンテキスト識別子（例えば、ＲＡＮ  ＵＥ  ＮＧＡＰ  ＩＤ）。２．操作者情報（例えば、ＰＬＭＮ情報）。３．ルート再割り当て情報の他の情報（例えば、ＡＭＦ名）。
【００８７】
基地局はまず、ＲＡＮ  ＵＥ  ＮＧＡＰ  ＩＤを通して基地局におけるＵＥの通信コンテキストを引き出す。
【００８８】
基地局は、ネットワークスライス（例えば、ＡＭＦ名）が、ＵＥの通信コンテキスト内に以前に記憶された情報と一致するかどうかを確認し、ネットワークスライス（例えば、ＡＭＦ名）が、ＵＥの通信コンテキスト内に以前に記憶された情報と一致しない場合には、この修正を破棄し得る。
【００８９】
ケース１からケース４の場合、各々の操作者の構成されるケースに従った別個の処理が必要とされる。異なる操作者は、異なるネットワーク構成を有し得る。ケース５では、基地局によって受信される情報が、基地局によってＵＥに割り当てられるコンテキスト識別子か、またはルート再割り当て情報の他の情報（例えば、ネットワークスライス情報）であるときに、異なる操作者ＰＬＭＮに従った別個の処理を遂行することがまた必要とされる。これは、異なる操作者は異なる構成を有し得るからである。
【００９０】
ケース５では、例えば、ＰＬＭＮ１の下でのネットワークスライス情報およびＰＬＭＮ２の下でのネットワークスライス情報が構成され、ネットワークスライス情報の２つの部分は、異なる操作者に属するため、異なる操作者のルーティング情報の異なる部分が更新される。
【００９１】
ステップＳ１９において、ターミナルは、次のメッセージを基地局に再送する。
【００９２】
例えば、ＵＥは、登録が完了した後に、ＮＡＳメッセージサービス要求を送る。
【００９３】
ステップＳ１１０において、基地局は、メッセージをサービングコアネットワークデバイスに送る。
【００９４】
メッセージは、真にサービス可能であるコアネットワークに送られ、必ずしも初期コアネットワークに送られない。
【００９５】
（例２）
図８に示されるように、この例と例１との間の差異は、ステップＳ２９がステップＳ１８の後に遂行されることにある。
【００９６】
ステップＳ２９において、基地局は、再割り当て応答メッセージをサービングコアネットワークデバイスに送る。
【００９７】
基地局によってサービングコアネットワークデバイスに送られる応答メッセージは、５ＧのＮＧインタフェースメッセージか、または４ＧのＳ１インタフェースメッセージ等の規格によって定義されるインタフェースメッセージである。
【００９８】
メッセージを受信した後、サービングコアネットワークは、基地局が、ターミナルのルートを修正したことを確かめ得る。
【００９９】
応答メッセージは、初期コアネットワークデバイスの識別子（ＡＭＦ名）もしくは初期コアネットワークデバイスのＡＭＦプール情報か、サービングコアネットワークデバイスの識別子（ＡＭＦ名）もしくはサービングコアネットワークデバイスのＡＭＦプール情報か、初期コアネットワークデバイスのアドレス情報（例えば、基地局への接続のためのＳＣＴＰ結合アドレスもしくはＩＰアドレス）か、サービングコアネットワークデバイスのアドレス情報（例えば、基地局への接続のためのＳＣＴＰ結合アドレスもしくはＩＰアドレス）か、初期コアネットワークデバイスにおけるＵＥのコンテキスト識別子（例えば、初期ＡＭＦ  ＵＥ  ＮＧＡＰ  ＩＤ）か、サービングコアネットワークデバイスにおけるＵＥのコンテキスト識別子（例えば、サービングＡＭＦ  ＵＥ  ＮＧＡＰ  ＩＤ）か、基地局によってＵＥに割り当てられるコンテキスト識別子（例えば、ＲＡＮ  ＵＥ  ＮＧＡＰ  ＩＤ）か、操作者情報（例えば、ＰＬＭＮ情報）か、ルーティング情報修正インジケーションもしくはルーティング情報修正失敗インジケーションか、または、ルーティング失敗理由、の１つまたはその組み合わせを含む。
【０１００】
ステップＳ２１０およびステップＳ２１１は、例１におけるステップＳ１９およびステップＳ１１０と同一である。
【０１０１】
（例３）
図９に示されるように、この例と例１および例２との間の差異は、ステップＳ３６からステップＳ３８が、ステップＳ１５の後に遂行されることにある。
【０１０２】
ステップＳ１１において、ＵＥは、登録要求メッセージを基地局に送る。
【０１０３】
ステップ１２において、基地局は、通信コンテキストを確立する。
【０１０４】
ステップＳ１３において、基地局は、通信コンテキストメッセージを初期コアネットワークデバイスに送る。
【０１０５】
ステップＳ１４において、初期コアネットワークデバイスは、サービングコアネットワークデバイスを捜す。
【０１０６】
ステップＳ１５において、初期コアネットワークデバイスは、通信コンテキストメッセージをサービングコアネットワークデバイスに送る。
【０１０７】
ステップＳ３６において、サービングコアネットワークデバイスは、登録を完了することにおいてターミナルを補助する。
【０１０８】
基地局の通信コンテキストのルーティング情報の更新は、登録中にはトリガされない。
【０１０９】
ステップＳ３７において、サービングコアネットワークデバイスは、初期ＵＥコンテキストメッセージを基地局に送る。
【０１１０】
認証および他のプロセスが完了した後、コアネットワークは、ＵＥのコンテキストの確立を要求するために、３ＧＰＰ  ＴＳ２３．４０１か、またはＴＳ２３．５０１に従って初期ＵＥコンテキストメッセージを基地局に送る。
【０１１１】
この例では、メッセージは、ルート再割り当て情報を運ぶことが要求される。ルート再割り当て情報は、初期コアネットワークデバイスの識別子（ＡＭＦ名）もしくは初期コアネットワークデバイスＡＭＦプール情報か、サービングコアネットワークデバイスの識別子（ＡＭＦ名）もしくはサービングコアネットワークデバイスのＡＭＦプール情報か、初期コアネットワークデバイスのアドレス情報（例えば、基地局への接続のためのＳＣＴＰ結合アドレスもしくはＩＰアドレス）か、サービングコアネットワークデバイスのアドレス情報（例えば、基地局への接続のためのＳＣＴＰ結合アドレスもしくはＩＰアドレス）か、初期コアネットワークデバイスにおけるＵＥのコンテキスト識別子（例えば、初期ＡＭＦ  ＵＥ  ＮＧＡＰ  ＩＤ）か、サービングコアネットワークデバイスにおけるＵＥのコンテキスト識別子（例えば、サービングＡＭＦ  ＵＥ  ＮＧＡＰ  ＩＤ）か、基地局によってＵＥに割り当てられるコンテキスト識別子（例えば、ＲＡＮ  ＵＥ  ＮＧＡＰ  ＩＤ）か、ネットワークスライス情報（例えば、Ｓ−ＮＳＳＡＩリストおよび／もしくは承認ＮＳＳＡＩ）か、または、操作者情報（例えば、ＰＬＭＮ情報）、のうちの１つまたはそれらの組み合わせである。
【０１１２】
ステップＳ３８において、基地局は、ＵＥのコンテキストを確立している間に、ターミナルの通信コンテキストのルーティング情報を更新する。
【０１１３】
３ＧＰＰ  ＴＳ３６．３００を参照する関連技術の説明によると、初期ＵＥコンテキストメッセージが受信された後で、ＵＥのコンテキストが確立される。
【０１１４】
本願では、ＡＭＦ名等のルーティング情報は、この時点で修正される。
【０１１５】
例４
図１０に示されるように、この例と例１および２との間の差異は、ステップＳ４６からＳ４７が、ステップＳ１５の後に遂行されることにある。
【０１１６】
ステップＳ４６において、サービングコアネットワークは、ルート再割り当て情報を運ぶダウンリンクネットワークアタッチトストレージ伝送（ダウンリンクＮＡＳ伝送）メッセージを送る。
【０１１７】
関連技術（例えば、３ＧＰＰ  ＴＳ２３．４０１またはＴＳ２３．５０１）の説明によると、ステップＳ５においてターミナルの登録要求を受信した後で、サービングコアネットワークは、登録プロセスを開始する。
【０１１８】
登録プロセスにおいて、認証メッセージは、ターミナルへ送られることを必要とする。メッセージは、標準化されたインタフェースＮＧインタフェースまたはＳ１インタフェースで、メッセージを通して基地局に運ばれ、それからターミナルに送られ得る。そのようなメッセージは、例えば、ダウンリンクＮＡＳ伝送メッセージであり得る。本願では、ルート再割り当て情報が、メッセージに追加される。
【０１１９】
ステップＳ４７において、基地局は、ターミナルの通信コンテキストのルーティング情報を更新する。
【０１２０】
ステップ４６のメッセージを受信した後、基地局は、ルート再割り当て情報に従ってターミナルの通信コンテキストのルーティング情報を更新する。
【図１】
2021514575.tif 000003
【図２】
2021514575.tif 000004
【図３】
2021514575.tif 000005
【図４】
2021514575.tif 000006
【図５】
2021514575.tif 000007
【図６】
2021514575.tif 000008
【図７】
2021514575.tif 000009
【図８】
2021514575.tif 000010
【図９】
2021514575.tif 000011
【図１０】
2021514575.tif 000012
【手続補正書】
【提出日】令和2年12月8日(2020.12.8)
【手続補正１】
【補正対象書類名】特許請求の範囲
【補正対象項目名】全文
【補正方法】変更
【補正の内容】
【特許請求の範囲】
【請求項１】
ルーティング選択方法であって、前記方法は、
アクセスネットワークデバイスによって、サービングコアネットワークデバイスからルート再割り当てメッセージを受信することを含み、
前記ルート再割り当てメッセージは、
初期コアネットワークデバイスのアクセスおよびモビリティ管理機能（ＡＭＦ）名と、
前記アクセスネットワークデバイスによるサービス対象のために割り当てられるコンテキスト識別子と、
前記サービングコアネットワークデバイスにおける前記サービス対象のために割り当てられるコンテキスト識別子と、
承認ネットワークスライス選択補助情報（ＮＳＳＡＩ）と
を備える、方法。
【請求項２】
前記アクセスネットワークデバイスによって、前記ルート再割り当てメッセージに従ってターミナルの通信コンテキストのルーティング情報を更新することをさらに含む、請求項１に記載の方法。
【請求項３】
前記ルート再割り当てメッセージは、伝送メッセージまたは初期ユーザ機器（ＵＥ）コンテキストメッセージを備える、請求項１に記載の方法。
【請求項４】
アクセスネットワークデバイスであって、
サービングコアネットワークデバイスからルート再割り当てメッセージを受信するように構成されている受信モジュールを備え、
前記ルート再割り当てメッセージは、
初期コアネットワークデバイスのアクセスおよびモビリティ管理機能（ＡＭＦ）名と、
前記アクセスネットワークデバイスによるサービス対象のために割り当てられるコンテキスト識別子と、
前記サービングコアネットワークデバイスにおける前記サービス対象のために割り当てられるコンテキスト識別子と、
承認ネットワークスライス選択補助情報（ＮＳＳＡＩ）と
を備える、アクセスネットワークデバイス。
【請求項５】
前記ルート再割り当てメッセージに従ってターミナルの通信コンテキストのルーティング情報を更新するように構成されている更新モジュールをさらに備える、請求項４に記載のアクセスネットワークデバイス。
【請求項６】
前記ルート再割り当てメッセージは、伝送メッセージまたは初期ユーザ機器（ＵＥ）コンテキストメッセージを備える、請求項４に記載のアクセスネットワークデバイス。
【請求項７】
プログラムを記憶する非一過性コンピュータ読み取り可能な媒体であって、前記プログラムがアクセスネットワークデバイスにおいて実行されると、前記アクセスネットワークデバイスに、サービングコアネットワークデバイスからルート再割り当てメッセージを受信することを行わせ、
前記ルート再割り当てメッセージは、
初期コアネットワークデバイスのアクセスおよびモビリティ管理機能（ＡＭＦ）名と、
前記アクセスネットワークデバイスによるサービス対象のために割り当てられるコンテキスト識別子と、
前記サービングコアネットワークデバイスにおける前記サービス対象のために割り当てられるコンテキスト識別子と、
承認ネットワークスライス選択補助情報（ＮＳＳＡＩ）と
を備える、非一過性コンピュータ読み取り可能な媒体。
【請求項８】
前記アクセスネットワークデバイスに、前記ルート再割り当てメッセージに従ってターミナルの通信コンテキストのルーティング情報を更新することをさらに行わせる、請求項７に記載の非一過性コンピュータ読み取り可能な媒体。
【請求項９】
前記ルート再割り当てメッセージは、伝送メッセージまたは初期ユーザ機器（ＵＥ）コンテキストメッセージを備える、請求項７に記載の非一過性コンピュータ読み取り可能な媒体。
【手続補正２】
【補正対象書類名】明細書
【補正対象項目名】００１５
【補正方法】変更
【補正の内容】
【００１５】
添付の図面および詳細な説明が読まれ、理解された後に、他の側面が理解されるであろう。
本願明細書は、例えば、以下の項目も提供する。
（項目１）
アクセスネットワークデバイスに適用されるルーティング選択方法であって、前記方法は、
サービングコアネットワークデバイスによって送られるルート再割り当てメッセージを受信することを備え、前記ルート再割り当てメッセージは、
初期コアネットワークデバイスの識別情報もしくはアドレス情報のうちの少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つを備える、ルーティング選択方法。
（項目２）
前記ルート再割り当てメッセージに従ってターミナルの通信コンテキストのルーティング情報を更新すること
をさらに備える、項目１に記載の方法。
（項目３）
再割り当て応答メッセージを前記サービングコアネットワークデバイスに送ることをさらに備え、前記再割り当て応答メッセージは、
前記初期コアネットワークデバイスの前記識別情報もしくは前記アドレス情報のうちの前記少なくとも１つか、
前記サービングコアネットワークデバイスの前記識別情報もしくは前記アドレス情報のうちの前記少なくとも１つか、
前記初期コアネットワークデバイス、前記アクセスネットワークデバイスもしくは前記サービングコアネットワークデバイスのうちの前記少なくとも１つにある、前記サービス対象のために割り当てられる前記コンテキスト識別子か、
前記サービス対象によってサポートされる前記ネットワークスライス情報か、
前記サービス対象によってサポートされる前記操作者情報か、
ルーティング情報修正成功インジケーションもしくはルーティング情報修正失敗インジケーションか、または、
ルーティング失敗理由
のうちの少なくとも１つを備える、項目１に記載の方法。
（項目４）
前記初期コアネットワークデバイスの前記識別情報は、前記初期コアネットワークデバイスのアクセスおよびモビリティ管理機能（ＡＭＦ）識別子か、または前記初期コアネットワークデバイスのＡＭＦプール情報のうちの少なくとも１つを備え、
前記サービングコアネットワークデバイスの前記識別情報は、前記サービングコアネットワークデバイスのＡＭＦ識別子か、または前記サービングコアネットワークデバイスのＡＭＦプール情報のうちの少なくとも１つを備える、項目１または項目３に記載の方法。
（項目５）
前記初期コアネットワークデバイスの前記アドレス情報は、前記初期コアネットワークデバイスのインターネットプロトコル（ＩＰ）アドレスか、または前記初期コアネットワークデバイスのストリーム制御伝送プロトコル（ＳＣＴＰ）結合情報を備え、
前記サービングコアネットワークデバイスの前記アドレス情報は、前記サービングコアネットワークデバイスのＳＣＴＰ結合情報か、または前記サービングコアネットワークデバイスのＩＰアドレスを備える、
項目１または項目３に記載の方法。
（項目６）
前記割り当てられたコンテキスト識別子は、基地局によって割り当てられる指数と、コアネットワークによって割り当てられる指数とを備える、項目１または項目３に記載の方法。
（項目７）
前記ネットワークスライス情報は、
予め構成されたネットワークスライス情報か、または、
前記初期コアネットワークデバイスもしくは前記サービングコアネットワークデバイスが、ターミナルによって要求されるネットワークスライス情報を確認した後で決定される承認スライス情報
のうちの１つを通して獲得される情報を備える、項目１または項目３に記載の方法。
（項目８）
ルーティング選択機器であって、前記機器は、
サービングコアネットワークデバイスによって送られるルート再割り当てメッセージを受信するように構成される受信モジュール
を備え、前記ルート再割り当てメッセージは、
初期コアネットワークデバイスの識別情報もしくはアドレス情報のうちの少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つ備える、機器。
（項目９）
前記ルート再割り当てメッセージに従ってターミナルの通信コンテキストのルーティング情報を更新するように構成される更新モジュール
をさらに備える、項目８に記載の機器。
（項目１０）
再割り当て応答メッセージを前記サービングコアネットワークデバイスに送るように構成されるフィードバックモジュールをさらに備え、前記再割り当て応答メッセージは、
前記初期コアネットワークデバイスの前記識別情報もしくは前記アドレス情報のうちの前記少なくとも１つか、
前記サービングコアネットワークデバイスの前記識別情報もしくは前記アドレス情報のうちの前記少なくとも１つか、
前記初期コアネットワークデバイス、前記アクセスネットワークデバイスもしくは前記サービングコアネットワークデバイスのうちの前記少なくとも１つにある、前記サービス対象のために割り当てられる前記コンテキスト識別子か、
前記サービス対象によってサポートされる前記ネットワークスライス情報か、
前記サービス対象によってサポートされる前記操作者情報か、
ルーティング情報修正成功インジケーションもしくはルーティング情報修正失敗インジケーションか、または、
ルーティング失敗理由
のうちの少なくとも１つを備える、項目８に記載の機器。
（項目１１）
項目８〜１０のうちのいずれか一項に記載のルーティング選択機器を備える、ルーティングデバイス。
（項目１２）
サービングコアネットワークデバイスおよびアクセスネットワークデバイスを備えるルーティングシステムであって、
前記サービングコアネットワークデバイスは、ルート再割り当てメッセージを前記アクセスネットワークデバイスに送るように構成され、前記ルート再割り当てメッセージは、
初期コアネットワークデバイスの識別情報もしくはアドレス情報のうちの少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つを備え、前記アクセスネットワークデバイスは、前記ルート再割り当てメッセージに従ってターミナルの通信コンテキストのルーティング情報を更新するように構成される、システム。
（項目１３）
前記アクセスネットワークデバイスは、再割り当て応答メッセージを前記サービングコアネットワークデバイスに送るように構成され、前記再割り当て応答メッセージは、
前記初期コアネットワークデバイスの前記識別情報もしくは前記アドレス情報のうちの前記少なくとも１つか、
前記サービングコアネットワークデバイスの識別情報もしくはアドレス情報のうちの少なくとも１つか、
前記初期コアネットワークデバイス、前記アクセスネットワークデバイスもしくは前記サービングコアネットワークのうちの前記少なくとも１つにある、前記サービス対象のために割り当てられる前記コンテキスト識別子か、
前記サービス対象によってサポートされる前記ネットワークスライス情報か、
前記サービス対象によってサポートされる前記操作者情報か、
ルーティング情報修正インジケーションもしくはルーティング情報修正失敗インジケーションか、または、
ルーティング失敗理由
のうちの少なくとも１つを備える、項目１２に記載のシステム。
（項目１４）
ルーティングプログラムを記憶するように構成されるストレージ媒体であって、前記プログラムが実行されるときに、以下の動作、
サービングコアネットワークデバイスによって送られるルート再割り当てメッセージを受信すること
が遂行され、前記ルート再割り当てメッセージは、
初期コアネットワークデバイスの識別情報もしくはアドレス情報のうちの少なくとも１つか、
前記サービングコアネットワークデバイスの識別情報若しくはアドレス情報のうちの少なくとも１つか、
前記初期コアネットワークデバイス、前記アクセスネットワークデバイスもしくは前記サービングコアネットワークデバイスのうちの少なくとも１つにある、サービス対象のために割り当てられるコンテキスト識別子か、
前記サービス対象によってサポートされるネットワークスライス情報か、または、
前記サービス対象によってサポートされる操作者情報
のうちの少なくとも１つを備える、ストレージ媒体。
【国際調査報告】
2021514575.tif 000013
2021514575.tif 000014
2021514575.tif 000015
2021514575.tif 000016